(57)【要約】【課題】ヘッドアッセンブリを装置本体に容易に取り付けることができるインクジェット記録装置を提供する。【解決手段】インクジェット記録装置１００は、ヘッドアッセンブリ１と、設置部５と、位置決め部材８と、規制部７とを備える。ヘッドアッセンブリ１は、インクを吐出する記録ヘッド３を有する。設置部５に、ヘッドアッセンブリ１が設置される。位置決め部材８は、設置部５に設けられ、ヘッドアッセンブリ１の位置を決める。規制部７は、設置部５に設けられ、ヘッドアッセンブリ１の位置を規制する。規制部７は、ヘッドアッセンブリ１を押圧方向Ｄ１に沿って押圧するように構成されている。位置決め部材８は、押圧方向Ｄ１と交差する方向に突出する。ヘッドアッセンブリ１は、位置決め部材８が挿入される挿入穴４１を有する。挿入穴４１の押圧方向Ｄ１の長さＬ１は、位置決め部材８の押圧方向Ｄ１の長さＬ２よりも大きい。【選択図】図７
2020121514.tif 000002
【特許請求の範囲】
【請求項１】
インクを吐出する記録ヘッドを有するヘッドアッセンブリと、
前記ヘッドアッセンブリが設置される設置部と、
前記設置部に設けられ、前記ヘッドアッセンブリの位置を決める位置決め部材と、
前記設置部に設けられ、前記ヘッドアッセンブリの位置を規制する規制部と
を備え、
前記規制部は、前記ヘッドアッセンブリを押圧方向に沿って押圧するように構成されており、
前記位置決め部材は、前記押圧方向と交差する方向に突出し、
前記ヘッドアッセンブリは、前記位置決め部材が挿入される挿入穴を有し、
前記挿入穴の前記押圧方向の長さが、前記位置決め部材の前記押圧方向の長さよりも大きい、インクジェット記録装置。
【請求項２】
前記規制部は、
前記ヘッドアッセンブリと当接する当接部材と、
前記当接部材を前記押圧方向に沿って付勢する付勢部材と
を有する、請求項１に記載のインクジェット記録装置。
【請求項３】
前記当接部材は、前記ヘッドアッセンブリが前記設置部に配置される際に、前記位置決め部材が前記挿入穴に挿入される位置に前記ヘッドアッセンブリをガイドするガイド面を有する、請求項２に記載のインクジェット記録装置。
【請求項４】
前記ヘッドアッセンブリは、
ベース部材と、
前記記録ヘッドを前記ベース部材に連結する連結部材と
を有し、
前記規制部は、前記ヘッドアッセンブリが前記設置部に配置される前段階において、前記当接部材が第１位置に位置し、前記ヘッドアッセンブリが前記設置部に配置される際に前記連結部材が前記当接部材に当接することに応じて、前記当接部材が前記第１位置から第２位置まで移動するように構成されており、
前記付勢部材は、前記第２位置から前記第１位置へ向かう方向に前記当接部材を付勢する、請求項２又は請求項３に記載のインクジェット記録装置。
【請求項５】
前記ヘッドアッセンブリは、
ベース部材と、
前記記録ヘッドを前記ベース部材に連結する連結部材と
を有し、
前記挿入穴は前記連結部材に設けられ、
前記規制部は、前記連結部材を押圧する、請求項１から請求項４のいずれか１項に記載のインクジェット記録装置。
【請求項６】
前記設置部に設けられ、前記ヘッドアッセンブリの角度を調整する角度調整機構を更に備え、
前記角度調整機構は、前記位置決め部材を回転中心として前記ヘッドアッセンブリを回転させる、請求項１から請求項５のいずれか１項に記載のインクジェット記録装置。
【請求項７】
前記記録ヘッドは、ノズル孔が形成されたノズル面を有し、
前記設置部は、底壁を有し、
前記底壁は、開口を有し、
前記記録ヘッドにおける前記ノズル面側の端部が前記開口から突出する、請求項１から請求項６のいずれか１項に記載のインクジェット記録装置。
【請求項８】
前記記録ヘッドは、複数であり、
前記複数の記録ヘッドは、前記押圧方向に沿って並ぶ、請求項１から請求項７のいずれか１項に記載のインクジェット記録装置。
【発明の詳細な説明】
【技術分野】
【０００１】
本発明は、インクジェット記録装置に関する。
【背景技術】
【０００２】
インクジェット記録装置の一種に、ラインヘッド式のインクジェット記録装置がある。ラインヘッド式のインクジェット記録装置は、搬送中の記録媒体に向けて記録ヘッドからインクを吐出して、記録媒体に画像を記録する。記録ヘッドは、インクを吐出するノズル孔が形成されたノズル面を有する。
【０００３】
ラインヘッド式のインクジェット記録装置は、一般的に、複数の記録ヘッドを有するヘッドアッセンブリを備える。複数の記録ヘッドは、記録媒体の搬送方向に直交する記録媒体の幅方向に並べて配置される。また、ラインヘッド式のインクジェット記録装置は、１つのヘッドアッセンブリの各記録ヘッドから１色（同色）のインクを吐出するように構成されている。したがって、カラー印刷に対応するラインヘッド式のインクジェット記録装置は、例えば４つのヘッドアッセンブリを備える。詳しくは、イエロー色、シアン色、マゼンタ色、及び黒色の各色に対応するヘッドアッセンブリがインクジェット記録装置の装置本体に搭載される。各色のヘッドアッセンブリは、記録媒体の搬送方向に並べて配置される。例えば、特許文献１には、４つのヘッドユニットと、４つのヘッドユニットを支持するヘッドユニット支持部材とを備える画像形成装置が開示されている。
【０００４】
ラインヘッド式のインクジェット記録装置は、記録ヘッドの位置決めをより正確に行う必要がある。例えば、異なる色間で、記録媒体の幅方向における記録ヘッドの位置に差が生じた場合、カラー印刷の際に各色のインクの着弾位置が合わなくなるため、画像品質が低下するおそれがある。具体的には、縦筋画像が発生するおそれがある。したがって、インクジェット記録装置の装置本体にヘッドアッセンブリを搭載する際に、ヘッドアッセンブリの位置決めをより正確に行う必要がある。
【先行技術文献】
【特許文献】
【０００５】
【特許文献１】特開２００５−１１９３８号公報
【発明の概要】
【発明が解決しようとする課題】
【０００６】
しかしながら、ヘッドアッセンブリの位置決め作業は容易ではない。換言すると、ヘッドアッセンブリを装置本体に取り付ける作業は、容易ではない。
【０００７】
本発明は上記課題に鑑みてなされたものであり、その目的は、ヘッドアッセンブリを装置本体に容易に取り付けることができるインクジェット記録装置を提供することにある。
【課題を解決するための手段】
【０００８】
本発明のインクジェット記録装置は、ヘッドアッセンブリと、設置部と、位置決め部材と、規制部とを備える。前記ヘッドアッセンブリは、インクを吐出する記録ヘッドを有する。前記設置部に、前記ヘッドアッセンブリが設置される。前記位置決め部材は、前記設置部に設けられ、前記ヘッドアッセンブリの位置を決める。前記規制部は、前記設置部に設けられ、前記ヘッドアッセンブリの位置を規制する。前記規制部は、前記ヘッドアッセンブリを押圧方向に沿って押圧するように構成されている。前記位置決め部材は、前記押圧方向と交差する方向に突出する。前記ヘッドアッセンブリは、前記位置決め部材が挿入される挿入穴を有する。前記挿入穴の前記押圧方向の長さは、前記位置決め部材の前記押圧方向の長さよりも大きい。
【発明の効果】
【０００９】
本発明によれば、ヘッドアッセンブリを装置本体に容易に取り付けることができる。
【図面の簡単な説明】
【００１０】
【図１】本発明の実施形態に係るヘッドアッセンブリを示す斜視図である。
【図２】本発明の実施形態に係るヘッドアッセンブリを示す斜視図である。
【図３】本発明の実施形態に係るヘッドアッセンブリを示す背面図である。
【図４】本発明の実施形態に係るヘッドアッセンブリを示す底面図である。
【図５】本発明の実施形態に係るインクジェット記録装置を示す図である。
【図６】本発明の実施形態に係るインクジェット記録装置の一部を拡大して示す図である。
【図７】本発明の実施形態に係るインクジェット記録装置の一部を拡大して示す図である。
【図８】本発明の実施形態に係るインクジェット記録装置を示す図である。
【図９】本発明の実施形態に係るヘッドアッセンブリを示す底面図である。
【図１０】本発明の実施形態に係る角度調整機構を示す斜視図である。
【図１１】本発明の実施形態に係る角度調整機構及び第２連結部材を示す底面図である。
【図１２】本発明の実施形態に係る角度調整機構を示す斜視図である。
【図１３】本発明の実施形態に係るインクジェット記録装置の構成を示す図である。
【発明を実施するための形態】
【００１１】
以下、図面を参照して本発明の実施形態を説明する。但し、図中、同一又は相当部分については同一の参照符号を付して説明を繰り返さない。また、説明が重複する箇所については、適宜説明を省略する場合がある。なお、図面には、理解を容易にするために、前後方向、上下方向、及び左右方向を記載しているが、本発明に係るヘッドアッセンブリ及びインクジェット記録装置の製造時及び使用時の向きを限定する意図はない。
【００１２】
まず、図１を参照して、本実施形態のヘッドアッセンブリ１を説明する。図１は、本実施形態に係るヘッドアッセンブリ１を示す斜視図である。詳しくは、図１は、左斜め前の上方から見たヘッドアッセンブリ１を示す。図１に示すように、ヘッドアッセンブリ１は、ベース部材２、複数の記録ヘッド３、及び複数の連結部材４を備える。
【００１３】
ヘッドアッセンブリ１は長尺の部品であり、第１端部１ａと、第１端部１ａとは反対側の第２端部１ｂとを有する。第１端部１ａは、ヘッドアッセンブリ１の長手方向における一方の端部であり、第２端部１ｂは、ヘッドアッセンブリ１の長手方向における他方の端部である。本実施形態において、ヘッドアッセンブリ１の第１端部１ａは左側の端部であり、ヘッドアッセンブリ１の第２端部１ｂは右側の端部である。
【００１４】
複数の連結部材４は、複数の記録ヘッド３をベース部材２に連結する。ベース部材２は、長尺の部材である。本実施形態において、複数の記録ヘッド３は、第１記録ヘッド３ａ及び第２記録ヘッド３ｂを含む。また、本実施形態のヘッドアッセンブリ１は、記録ヘッド３ごとに、２つの連結部材４を備える。２つの連結部材４は、第１連結部材４ａ、及び第２連結部材４ｂを含む。第１連結部材４ａは、対応する記録ヘッド３の左側に配置されて、対応する記録ヘッド３の左側の端部をベース部材２に連結する。第２連結部材４ｂは、対応する記録ヘッド３の右側に配置されて、対応する記録ヘッド３の右側の端部をベース部材２に連結する。本実施形態において、ベース部材２に対して記録ヘッド３が配置される側は下側であり、その反対側は上側である。
【００１５】
次に、図２を参照して、本実施形態のヘッドアッセンブリ１を説明する。図２は、本実施形態に係るヘッドアッセンブリ１を示す斜視図である。詳しくは、図２は、左斜め後ろの上方から見たヘッドアッセンブリ１を示す。図２に示すように、複数の記録ヘッド３は、第１記録ヘッド３ａ及び第２記録ヘッド３ｂに加えて、第３記録ヘッド３ｃを更に含む。
【００１６】
本実施形態において、第１記録ヘッド３ａは、ヘッドアッセンブリ１の第１端部１ａ側に配置される。第２記録ヘッド３ｂは、ヘッドアッセンブリ１の第２端部１ｂ側に配置される。第３記録ヘッド３ｃは、ヘッドアッセンブリ１の中央部に配置される。また、第１記録ヘッド３ａ〜第３記録ヘッド３ｃは、ベース部材２の長手方向に沿って千鳥状に配置される。詳しくは、第３記録ヘッド３ｃは、第１記録ヘッド３ａ及び第２記録ヘッド３ｂと比べて後ろ側に配置される。
【００１７】
次に、図３を参照して、本実施形態のヘッドアッセンブリ１を説明する。図３は、本実施形態に係るヘッドアッセンブリ１を示す背面図である。図３に示すように、記録ヘッド３は、ノズル面３１を有する。記録ヘッド３は、ノズル面３１からインクを吐出する。具体的には、ノズル面３１に多数のノズル孔が形成されており、ノズル孔からインクが吐出される。ノズル面３１は、記録ヘッド３の下面（底面）の少なくとも一部を構成する。なお、第１記録ヘッド３ａ〜第３記録ヘッド３ｃは、同色のインクを吐出する。
【００１８】
次に、図４を参照して、本実施形態のヘッドアッセンブリ１を説明する。図４は、本実施形態に係るヘッドアッセンブリ１を示す底面図である。図４に示すように、記録ヘッド３は、左右方向に沿って延びる。換言すると、記録ヘッド３は、ヘッドアッセンブリ１の長手方向に沿って延びる。
【００１９】
図４に示すように、ヘッドアッセンブリ１は、挿入穴４１を有する。本実施形態では、ヘッドアッセンブリ１の第１端部１ａ側に設けられた第１連結部材４ａが、挿入穴４１を有する。挿入穴４１には、図５を参照して説明する位置決め部材８が挿入される。本実施形態において、挿入穴４１は貫通穴である。なお、以下の説明において、ヘッドアッセンブリ１の第１端部１ａ側に設けられた第１連結部材４ａを、「第１連結部材４ａａ」と記載する場合がある。
【００２０】
次に、図５を参照して、本実施形態のインクジェット記録装置１００を説明する。図５は、本実施形態のインクジェット記録装置１００を示す図である。図５に示すように、インクジェット記録装置１００は、ヘッドアッセンブリ１と、設置部５と、規制部７と、位置決め部材８とを備える。
【００２１】
ヘッドアッセンブリ１は、設置部５に設置される。設置部５は、例えば、上面が開放された枠体である。この場合、設置部５は、ヘッドアッセンブリ１を収容する。設置部５は、インクジェット記録装置１００が備える本体フレームに支持される。
【００２２】
設置部５は、第１側壁５ａ、第２側壁５ｂ、及び底壁５ｃを有する。本実施形態において、第１側壁５ａは左側壁であり、第２側壁５ｂは右側壁である。第１側壁５ａは、底壁５ｃの左端部に接続して、底壁５ｃから上方向に延びる。第２側壁５ｂは、底壁５ｃの右端部に接続して、底壁５ｃから上方向に延びる。
【００２３】
底壁５ｃは、開口５ｈと、載置面５１とを有する。載置面５１には、ヘッドアッセンブリ１の下面の一部が載置される。ヘッドアッセンブリ１が設置部５に設置されると、第１記録ヘッド３ａ〜第３記録ヘッド３ｃのそれぞれの下端部３２（ノズル面側の端部）が開口５ｈから突出する。その結果、第１記録ヘッド３ａ〜第３記録ヘッド３ｃのそれぞれのノズル面３１は、設置部５の底壁５ｃの下方に配置される。
【００２４】
規制部７は、設置部５に設けられて、ヘッドアッセンブリ１の位置を規制する。具体的には、規制部７は、ヘッドアッセンブリ１の長手方向における位置を規制する。規制部７は、ヘッドアッセンブリ１を押圧方向Ｄ１に沿って押圧するように構成されている。
【００２５】
本実施形態において、押圧方向Ｄ１は右方向であり、ヘッドアッセンブリ１の長手方向と平行又は略平行である。換言すると、押圧方向Ｄ１は、３つの記録ヘッド３が並ぶ方向と平行又は略平行である。規制部７は、ヘッドアッセンブリ１の第１端部１ａ側に設けられて、ヘッドアッセンブリ１を右方向に押圧する。具体的には、規制部７は、第１連結部材４ａａを押圧方向Ｄ１に沿って押圧する。
【００２６】
位置決め部材８は、設置部５に設けられて、設置部５に設置されたヘッドアッセンブリ１の位置を決める。具体的には、位置決め部材８は、ヘッドアッセンブリ１の長手方向の位置を決める。本実施形態において、位置決め部材８は、ピン状部材であり、設置部５の底壁５ｃに設けられる。詳しくは、位置決め部材８は、載置面５１から上方向に延びる。また、位置決め部材８は、ヘッドアッセンブリ１の第１端部１ａ側に配置されて、第１連結部材４ａａの挿入穴４１に挿入される。この結果、ヘッドアッセンブリ１の長手方向における位置が定まる。
【００２７】
具体的には、図７を参照して説明するように、挿入穴４１の押圧方向Ｄ１の長さＬ１は、位置決め部材８の押圧方向Ｄ１の長さＬ２よりも大きい。したがって、規制部７が押圧方向Ｄ１に沿ってヘッドアッセンブリ１を押圧することにより、位置決め部材８が、挿入穴４１を構成する内壁面のうち、左側の内壁面４１１に押圧される。その結果、ヘッドアッセンブリ１の長手方向における位置が規制されて、ヘッドアッセンブリ１の長手方向における位置が定まる。なお、本実施形態において、位置決め部材８の押圧方向Ｄ１の長さＬ２は、位置決め部材８の径を示す。
【００２８】
以上、図１〜図５を参照して、本実施形態のインクジェット記録装置１００を説明した。本実施形態によれば、挿入穴４１の押圧方向Ｄ１の長さＬ１が、位置決め部材８の押圧方向Ｄ１の長さＬ２よりも大きい。したがって、挿入穴４１に位置決め部材８を挿入する作業が容易となる。その結果、ヘッドアッセンブリ１を設置部５に容易に取り付けることができる。また、挿入穴４１に位置決め部材８を挿入する際に、規制部７が押圧方向Ｄ１に沿ってヘッドアッセンブリ１を押圧して、位置決め部材８が、挿入穴４１の左側の内壁面４１１に押圧される。その結果、ヘッドアッセンブリ１の長手方向における位置が定まる。したがって、ヘッドアッセンブリ１を設置部５の設置させる作業に応じて、ヘッドアッセンブリ１が位置決めされる。よって、ヘッドアッセンブリ１の位置決め作業が容易となり、ヘッドアッセンブリ１を設置部５に取り付ける作業が容易となる。
【００２９】
続いて、図５を参照して、本実施形態の規制部７を更に説明する。図５に示すように、本実施形態の規制部７は、当接部材７１と、付勢部材７２とを有する。当接部材７１は、ヘッドアッセンブリ１と当接する。より具体的には、本実施形態の当接部材７１は、ヘッドアッセンブリ１の第１端部１ａ側に配置されて、第１連結部材４ａａの左側面と当接する。付勢部材７２は、押圧方向Ｄ１に沿って当接部材７１を付勢する。この結果、ヘッドアッセンブリ１が押圧方向Ｄ１に沿って押圧される。
【００３０】
詳しくは、当接部材７１は、設置部５の底壁５ｃの上面にスライド自在に配置される。付勢部材７２の一端は第１側壁５ａと接続し、付勢部材７２の他端は当接部材７１と接続する。例えば、付勢部材７２の一端は第１側壁５ａに固定され、付勢部材７２の他端は当接部材７１に固定される。付勢部材７２は、例えば、ばね部材である。
【００３１】
続いて図６及び図７を参照して、本実施形態のインクジェット記録装置１００を更に説明する。図６は、インクジェット記録装置１００の一部を拡大して示す図である。詳しくは、図６は、ヘッドアッセンブリ１の第１端部１ａ側を拡大して示す。また、図６は、ヘッドアッセンブリ１が設置部５に設置される前段階を示す。
【００３２】
図６に示すように、ヘッドアッセンブリ１が設置部５に設置される前段階において、当接部材７１は、付勢部材７２の付勢力により、第１位置Ｐ１に位置する。作業者は、ヘッドアッセンブリ１を設置部５に設置する際に、ヘッドアッセンブリ１を当接部材７１に当接させる。具体的には、作業者は、第１連結部材４ａａを当接部材７１に当接させる。作業者が、第１連結部材４ａａを当接部材７１に当接させた後、付勢部材７２の付勢力に抗してヘッドアッセンブリ１を下方向へ押圧すると、当接部材７１が、第１側壁５ａ側へ移動する。換言すると、当接部材７１は、押圧方向Ｄ１とは反対の方向へ移動する。
【００３３】
図７は、インクジェット記録装置１００の一部を拡大して示す図である。詳しくは、図７は、ヘッドアッセンブリ１の第１端部１ａ側を拡大して示す。また、図７は、設置部５に設置されたヘッドアッセンブリ１を示す。
【００３４】
図７に示すように、ヘッドアッセンブリ１が設置部５に設置されると、位置決め部材８が第１連結部材４ａａの挿入穴４１に挿入される。また、当接部材７１は、図６を参照して説明した第１位置Ｐ１から第２位置Ｐ２まで移動する。第２位置Ｐ２は、第１位置Ｐ１と比べて第１側壁５ａに近い位置であり、付勢部材７２は、第２位置Ｐ２に位置する当接部材７１を、第２位置Ｐ２から第１位置Ｐ１へ向かう方向に付勢する。すなわち、付勢部材７２は、当接部材７１を押圧方向Ｄ１に付勢する。その結果、付勢部材７２の付勢力により、第１連結部材４ａａが当接部材７１によって押圧方向Ｄ１に押圧される。換言すると、付勢部材７２の付勢力により、ヘッドアッセンブリ１が当接部材７１によって押圧方向Ｄ１に押圧される。挿入穴４１の押圧方向Ｄ１の長さＬ１は、位置決め部材８の押圧方向Ｄ１の長さＬ２よりも大きいため、ヘッドアッセンブリ１が押圧方向Ｄ１に沿って押圧されると、位置決め部材８が、挿入穴４１の左側の内壁面４１１に押圧される。挿入穴４１は、例えば、ヘッドアッセンブリ１又はベース部材２の長手方向に長い長穴であり得る。
【００３５】
以上、図６及び図７を参照して説明したように、ヘッドアッセンブリ１を設置部５に設置する際に、当接部材７１は、ヘッドアッセンブリ１のうち、ノズル面３１と異なる部分（第１連結部材４ａａ）と当接する位置（第１位置Ｐ１）に配置される。したがって、ヘッドアッセンブリ１を設置部５に設置する際に、設置部５を構成する部材にノズル面３１が接触し難くなり、ノズル孔が破損する可能性を低減することができる。
【００３６】
続いて、図６及び図７を参照して、本実施形態の規制部７を更に説明する。図６及び図７に示すように、規制部７は、ガイド部材７３を更に有する。ガイド部材７３は、押圧方向Ｄ１に沿って延びる棒状部材である。具体的には、ガイド部材７３の一端は第１側壁５ａに固定されており、ガイド部材７３は、第１側壁５ａから押圧方向Ｄ１に沿って延びる。また、当接部材７１には、ガイド部材７３が挿入される挿入穴が形成されている。具体的には、当接部材７１の挿入穴は、当接部材７１の左側面に開口を有し、当接部材７１の左側面から押圧方向Ｄ１（右方向）に沿って延びる。したがって、当接部材７１は、ガイド部材７３によって、押圧方向Ｄ１、及び押圧方向Ｄ１と反対の方向に案内される。
【００３７】
また、図６及び図７に示すように、当接部材７１はガイド面７４を有する。ガイド面７４は、ヘッドアッセンブリ１が設置部５に配置される際に、位置決め部材８が挿入穴４１に挿入される位置にヘッドアッセンブリ１を誘導する。具体的には、ガイド面７４は、第１側壁５ａから右方に離れるほど、下方に向けて傾斜する斜面を含む。詳しくは、ガイド面７４の斜面は、位置決め部材８に向けて傾斜する。したがって、ヘッドアッセンブリ１が設置部５に配置される際に、第１連結部材４ａａをガイド面７４に当接させて、ヘッドアッセンブリ１を下方へ押圧すると、ガイド面７４によって、位置決め部材８が挿入穴４１に挿入される位置にヘッドアッセンブリ１が誘導される。この結果、設置部５を構成する部材にノズル面３１が接触し難くなる。また、ガイド面７４によって誘導されるままにヘッドアッセンブリ１を下方へ移動させることにより、位置決め部材８が挿入穴４１に挿入されるため、ヘッドアッセンブリ１を設置部５に容易に取り付けることができる。
【００３８】
続いて、図８及び図９を参照して、本実施形態のインクジェット記録装置１００を更に説明する。図８は、本実施形態に係るインクジェット記録装置１００を示す図である。なお、図面を簡略化するために、図８において、図５を参照して説明した底壁５ｃの一部及び第２側壁５ｂは省略されている。図９は、本実施形態に係るヘッドアッセンブリ１を示す底面図である。詳しくは、図９は、ヘッドアッセンブリ１の回転方向Ｒ１及び回転方向Ｒ２を示す。回転方向Ｒ２は、回転方向Ｒ１とは反対の回転方向である。
【００３９】
図８に示すように、インクジェット記録装置１００は、角度調整機構９を更に備える。角度調整機構９は、位置決め部材８を回転中心としてヘッドアッセンブリ１を回転させる。すなわち、本実施形態において、位置決め部材８は、ヘッドアッセンブリ１の回転軸として機能する。換言すると、位置決め部材８は、回転軸部材として機能する。角度調整機構９は、図４を参照して説明した設置部５に設けられる。具体的には、角度調整機構９は、ヘッドアッセンブリ１の第２端部１ｂ側に設けられる。
【００４０】
詳しくは、角度調整機構９は、図９に示すように、位置決め部材８（挿入穴４１）を回転中心として、ヘッドアッセンブリ１を回転方向Ｒ１又は回転方向Ｒ２に回転させる。その結果、ヘッドアッセンブリ１の角度が調整される。
【００４１】
以上、図８及び図９を参照して、本実施形態のインクジェット記録装置１００を説明した。本実施形態によれば、作業者は、角度調整機構９を操作して、ヘッドアッセンブリ１の角度を調整できる。詳しくは、図１３を参照して説明するように、インクジェット記録装置１００は、４つのヘッドアッセンブリ１（第１ヘッドアッセンブリ１１、第２ヘッドアッセンブリ１２、第３ヘッドアッセンブリ１３、及び第４ヘッドアッセンブリ１４）を備える。インクジェット記録装置１００は、４つのヘッドアッセンブリ１のそれぞれに対して設けられた角度調整機構９を備える。したがって、本実施形態によれば、４つのヘッドアッセンブリ１の角度を調整して、４つのヘッドアッセンブリ１を平行に配置することができる。ヘッドアッセンブリ１の角度の調整は、ヘッドアッセンブリ１を設置部５に設置した後に行われる。
【００４２】
続いて、図１０〜図１２を参照して、本実施形態の角度調整機構９を更に説明する。図１０は、本実施形態に係る角度調整機構９を示す斜視図である。詳しくは、図１０は、右斜め後ろから見た角度調整機構９を示す。
【００４３】
図１０に示すように、角度調整機構９は、取付板９１と、連結機構９２と、押当部材９３と、回転軸部材９４と、角度調整部材９５と、回転軸部材９６とを有する。また、角度調整機構９は、３つの締結部材Ｂ１〜Ｂ３を有する。
【００４４】
連結機構９２及び回転軸部材９４は、取付板９１に取り付けられる。取付板９１は、３つの締結部材Ｂ１〜Ｂ３によって、図５を参照して説明した第２側壁５ｂに固定される。
【００４５】
回転軸部材９４は、押当部材９３を移動方向Ｄ２に沿って移動自在に支持する。連結機構９２は、押当部材９３に連結する。連結機構９２は、作業者によって操作される。連結機構９２は、作業者による操作に応じて、押当部材９３を移動方向Ｄ２に沿って移動させる。図１１を参照して説明するように、押当部材９３が移動方向Ｄ２に沿って移動することにより、角度調整部材９５が回転軸部材９６を回転中心として回転する。
【００４６】
本実施形態において、連結機構９２は、作業者が操作可能な操作部材９２１を有する。連結機構９２は、作業者が操作部材９２１を操作することに応じて、押当部材９３を移動方向Ｄ２に沿って移動させる。詳しくは、本実施形態の連結機構９２は、操作部材９２１に加えて、アイドルギア９２２を有する。
【００４７】
操作部材９２１は、取付板９１に回転自在に取り付けられる。操作部材９２１は、操作部９２１ａと、ギア部９２１ｂと、操作穴９２１ｃとを有する。作業者は、例えば六角レンチを操作穴９２１ｃに嵌合させて、操作部材９２１を回転させることができる。ギア部９２１ｂは歯部を有する。歯部は、ギア部９２１ｂの周面に形成される。具体的には、ギア部９２１ｂの歯部は、ギア部９２１ｂの周方向に沿って配列される複数の歯を有する。
【００４８】
押当部材９３は、回転軸部材９４によって回転自在に支持されている。換言すると、押当部材９３は、回転軸部材９４を回転中心として回転自在である。押当部材９３は、ギア部９３ａを有する。ギア部９３ａは歯部を有する。歯部は、ギア部９３ａの周面に形成される。具体的には、ギア部９３ａの歯部は、ギア部９３ａの周方向に沿って配列される複数の歯を有する。
【００４９】
アイドルギア９２２は、取付板９１に回転自在に取り付けられる。アイドルギア９２２は、歯部を有する。歯部は、アイドルギア９２２の周面に形成される。具体的には、アイドルギア９２２の歯部は、アイドルギア９２２の周方向に沿って配列される複数の歯を有する。アイドルギア９２２は、アイドルギア９２２の歯部が、操作部材９２１（ギア部９２１ｂ）の歯部及び押当部材９３（ギア部９３ａ）の歯部と噛み合う位置に配置される。この結果、操作部材９２１の回転に応じて、押当部材９３が回転する。
【００５０】
押当部材９３は、貫通穴を有する。貫通穴はねじ穴である。回転軸部材９４の軸部の表面にはねじ溝が形成されており、押当部材９３の貫通穴は、回転軸部材９４の軸部に螺合する。この結果、押当部材９３は、アイドルギア９２２の回転に応じて、移動方向Ｄ２に沿って移動する。
【００５１】
本実施形態において、連結機構９２は、クリック部９２３を更に有する。また、操作部材９２１は、複数の凹部９２１ｄを有する。複数の凹部９２１ｄは、操作部９２１ａの周面に形成されている。詳しくは、複数の凹部９２１ｄは、操作部９２１ａの周方向に沿って配列される。
【００５２】
クリック部９２３は、操作部材９２１の回転に応じて、操作部材９２１の複数の凹部９２１ｄに順次係合する。この結果、操作部材９２１を操作する作業者に対し、クリック部９２３からクリック感が与えられる。したがって、作業者は、ヘッドアッセンブリ１の角度調整作業中に、クリック感に基づいて、ヘッドアッセンブリ１の角度が変更されていることを認識することができる。クリック部９２３は、例えば、板バネを加工して作製される。
【００５３】
次に、図１１を参照して、角度調整機構９及びヘッドアッセンブリ１を更に説明する。図１１は、本実施形態に係る角度調整機構９及び第２連結部材４ｂを示す底面図である。詳しくは、図１１は、ヘッドアッセンブリ１の第２端部１ｂ側に設けられた第２連結部材４ｂを示す。以下、ヘッドアッセンブリ１の第２端部１ｂ側に設けられた第２連結部材４ｂを、「第２連結部材４ｂｂ」と記載する場合がある。
【００５４】
図１１に示すように、角度調整部材９５は、第２側壁５ｂの内側に配置される。角度調整部材９５は、回転軸部材９６を回転中心として回転自在に配置される。具体的には、角度調整部材９５は、回転方向Ｒ３及び回転方向Ｒ４に回転自在である。回転方向Ｒ４は、回転方向Ｒ３とは反対の回転方向である。
【００５５】
角度調整部材９５は、ヘッドアッセンブリ１と係合する第１係合部９５１を有する。本実施形態において、第１係合部９５１は、回転軸部材９６が延びる方向と直交する方向に延びる突出片である。具体的には、第１係合部９５１は、角度調整部材９５の中心部（回転軸部材９６）から径方向に突出する。詳しくは、第１係合部９５１は、第２連結部材４ｂｂの下端部４２に向かって延びる。
【００５６】
ヘッドアッセンブリ１は、第１係合部９５１と係合するヘッド側係合部４３を有する。本実施形態において、ヘッド側係合部４３は、第１係合部９５１と当接する突出片であり、第２連結部材４ｂｂの下端部４２から突出する。換言すると、第２連結部材４ｂｂの下端部４２が、ヘッド側係合部４３を有する。
【００５７】
角度調整部材９５は、回転軸部材９６を回転中心として回転方向Ｒ３に回転することに応じて、第１係合部９５１がヘッド側係合部４３を押すように配置される。ヘッドアッセンブリ１は、第１係合部９５１がヘッド側係合部４３を押すことに応じて、図８及び図９を参照して説明したように、位置決め部材８（挿入穴４１）を回転中心として回転方向Ｒ２に回転する。
【００５８】
また、図１１に示すように、角度調整部材９５は、押当部材９３と係合する第２係合部９５２を更に有する。本実施形態において、第２係合部９５２は、回転軸部材９６が延びる方向と直交する方向に延びる突出片である。具体的には、第２係合部９５２は、角度調整部材９５の中心部（回転軸部材９６）から径方向に突出する。詳しくは、第２係合部９５２は、第１係合部９５１が突出する方向とは異なる方向に突出する。
【００５９】
押当部材９３は、当接部９３ｂを有する。当接部９３ｂは、角度調整部材９５に当接する。具体的には、当接部９３ｂは、第２係合部９５２に当接する。押当部材９３が移動方向Ｄ２に沿って移動して、当接部９３ｂが第２係合部９５２を押すことに応じて、角度調整部材９５が回転方向Ｒ３に回転する。その結果、ヘッドアッセンブリ１は、図８及び図９を参照して説明したように、位置決め部材８（挿入穴４１）を回転中心として回転方向Ｒ２に回転する。換言すると、作業者が操作部材９２１を操作することに応じて、ヘッドアッセンブリ１が、回転方向Ｒ２に回転する。したがって、作業者は、操作部材９２１を操作して、ヘッドアッセンブリ１の角度を調整することができる。
【００６０】
詳しくは、当接部９３ｂは、取付板９１を貫通する。押当部材９３が移動方向Ｄ２に沿って移動することに応じて、当接部９３ｂの取付板９１からの突出量が変化する。したがって、作業者は、操作部材９２１を回転させることにより、当接部９３ｂの取付板９１からの突出量を変化させることができる。当接部９３ｂの取付板９１からの突出量が増加すると、第２係合部９５２が当接部９３ｂによって押されて、角度調整部材９５が回転方向Ｒ３に回転する。その結果、ヘッドアッセンブリ１は、位置決め部材８を回転中心として回転方向Ｒ２に回転する。
【００６１】
また、図１１に示すように、角度調整機構９は、付勢部材９７を有する。付勢部材９７は、回転方向Ｒ４に角度調整部材９５が回転するように、角度調整部材９５を付勢する。付勢部材９７は、例えば、ばね部材である。
【００６２】
詳しくは、角度調整部材９５は、付勢部材９７と係合する第３係合部９５３を有する。本実施形態において、第３係合部９５３は、回転軸部材９６が延びる方向と直交する方向に延びる突出片である。具体的には、第３係合部９５３は、角度調整部材９５の中心部（回転軸部材９６）から径方向に突出する。詳しくは、第３係合部９５３は、第１係合部９５１が突出する方向と異なり且つ第２係合部９５２が突出する方向と異なる方向に突出する。付勢部材９７は、角度調整部材９５が回転方向Ｒ４に回転するように、第３係合部９５３を付勢する。
【００６３】
したがって、作業者が操作部材９２１を操作することに応じて、当接部９３ｂの取付板９１からの突出量が減少すると、付勢部材９７の付勢力により、押当部材９３の移動に追従して角度調整部材９５が回転方向Ｒ４に回転する。その結果、ヘッドアッセンブリ１は、図８及び図９を参照して説明したように、位置決め部材８（挿入穴４１）を回転中心として回転方向Ｒ１に回転する。
【００６４】
また、図１１に示すように、操作部材９２１は第２側壁５ｂの外側に配置される。したがって、作業者は、設置部５に設置されたヘッドアッセンブリ１の角度を容易に調整することができる。
【００６５】
次に、図１２を参照して、角度調整機構９を更に説明する。図１２は、本実施形態に係る角度調整機構９を示す斜視図である。詳しくは、図１２は、左斜め前の上方から見た角度調整機構９を示す。
【００６６】
図１２に示すように、角度調整機構９は、規制部材９８を更に有する。規制部材９８は、角度調整部材９５の回転を規制する。本実施形態の規制部材９８は、角度調整部材９５の回転方向Ｒ３への回転を規制する。具体的には、図１１を参照して説明したように、角度調整部材９５は、当接部９３ｂの取付板９１からの突出量の増加に応じて、回転方向Ｒ３へ回転する。したがって、規制部材９８は、当接部９３ｂの取付板９１からの突出量の増加に応じた角度調整部材９５の回転を規制する。
【００６７】
規制部材９８が、角度調整部材９５の回転方向Ｒ３への回転を規制することにより、ヘッドアッセンブリ１の角度調整時に、設置部５を構成する部品にヘッドアッセンブリ１が衝突し難くなる。その結果、設置部５を構成する部品にヘッドアッセンブリ１が衝突することに起因するヘッドアッセンブリ１の故障を低減できる。例えば、設置部５を構成する部品に記録ヘッド３のノズル面３１が衝突し難くなる。その結果、設置部５を構成する部品に記録ヘッド３のノズル面３１が衝突することに起因するノズル孔の破損を低減できる。
【００６８】
なお、図１１に示すように、角度調整部材９５の回転方向Ｒ４への回転は、第２側壁５ｂ又は取付板９１によって規制される。具体的には、押当部材９３の移動が、第２側壁５ｂによって規制される。あるいは、第２係合部９５２の回転が、取付板９１によって規制される。
【００６９】
次に、図１３を参照して、本実施形態のインクジェット記録装置１００を更に説明する。図１３は、本実施形態に係るインクジェット記録装置１００の構成を示す図である。
【００７０】
図１３に示すように、インクジェット記録装置１００は、給紙部１１０と、シート搬送部１２０と、排出部１３０と、メンテナンスユニット１４０とを備える。また、インクジェット記録装置１００は、第１ヘッドアッセンブリ１１と、第２ヘッドアッセンブリ１２と、第３ヘッドアッセンブリ１３と、第４ヘッドアッセンブリ１４とを備える。
【００７１】
給紙部１１０は、シート搬送部１２０にシートＳを給紙する。本実施形態の給紙部１１０は、給紙カセット１１１と、給紙ローラー１１２とを有する。給紙カセット１１１は、少なくとも１枚のシートＳを収容する。給紙ローラー１１２は、給紙カセット１１１からシート搬送部１２０へシートＳを送り出す。なお、シートＳは記録媒体の一例である。
【００７２】
シート搬送部１２０は、シートＳを排出部１３０まで搬送する。詳しくは、シート搬送部１２０は、複数の搬送ガイド１２１と、複数の搬送ローラー対１２２と、レジストローラー対１２３とを有する。搬送ガイド１２１はシートＳの搬送路を構成する。搬送ローラー対１２２は、搬送路に沿ってシートＳを搬送する。レジストローラー対１２３は、第１ヘッドアッセンブリ１１〜第４ヘッドアッセンブリ１４と対向する領域へのシートＳの搬送タイミングを調整する。
【００７３】
本実施形態のシート搬送部１２０は、第１搬送ユニット１２４と、第２搬送ユニット１２５とを有する。第１搬送ユニット１２４は、第１ヘッドアッセンブリ１１〜第４ヘッドアッセンブリ１４と対向する。第１搬送ユニット１２４は、第１ヘッドアッセンブリ１１〜第４ヘッドアッセンブリ１４の直下の領域においてシートＳを搬送する。第２搬送ユニット１２５は、第１搬送ユニット１２４から送り出されたシートＳを、排出部１３０へ向けて搬送する。
【００７４】
第１ヘッドアッセンブリ１１〜第４ヘッドアッセンブリ１４に設けられた記録ヘッド３は、第１搬送ユニット１２４によって搬送されているシートＳに向けて、インクを吐出する。具体的には、第１ヘッドアッセンブリ１１〜第４ヘッドアッセンブリ１４のそれぞれの記録ヘッド３は、互いに異なる色のインクを吐出する。例えば、第１ヘッドアッセンブリ１１の記録ヘッド３は、ブラック色のインクを吐出する。第２ヘッドアッセンブリ１２の記録ヘッド３は、シアン色のインクを吐出する。第３ヘッドアッセンブリ１３の記録ヘッド３は、マゼンタ色のインクを吐出する。第４ヘッドアッセンブリ１４の記録ヘッド３は、イエロー色のインクを吐出する。
【００７５】
排出部１３０は、装置本体の外部にシートＳを排出する。本実施形態の排出部１３０は、排出トレイ１３１と、排出ローラー対１３２とを有する。排出ローラー対１３２は、シートＳを排出トレイ１３１に送り出す。
【００７６】
メンテナンスユニット１４０は、第１ヘッドアッセンブリ１１〜第４ヘッドアッセンブリ１４のそれぞれの記録ヘッド３をメンテナンスする。メンテナンスユニット１４０は、シートＳへの画像の記録時に第２搬送ユニット１２５の下方に位置し、記録ヘッド３のメンテナンス時に、第１ヘッドアッセンブリ１１〜第４ヘッドアッセンブリ１４の直下の位置へ移動する。なお、記録ヘッド３のメンテナンス時には、第１搬送ユニット１２４は、退避位置に移動している。退避位置は、第１搬送ユニット１２４がメンテナンスユニット１４０と衝突しない位置である。
【００７７】
本実施形態のメンテナンスユニット１４０は、キャップ部１４１と、クリーニング部１４２とを有する。図３を参照して説明したように、記録ヘッド３はノズル面３１を有する。キャップ部１４１は、キャッピング部材１４１ａを有する。キャッピング部材１４１ａは、記録ヘッド３のノズル面３１をキャッピングして、インクが乾燥し難い環境を提供する。
【００７８】
クリーニング部１４２は、記録ヘッド３のノズル面３１を清掃する。具体定には、クリーニング部１４２は、ワイプブレード１４２ａを有する。ワイプブレード１４２ａは、例えば、樹脂を材料として含む。ワイプブレード１４２ａは、ノズル面３１を清掃するクリーニング部材である。
【００７９】
クリーニング部１４２は、記録ヘッド３の下面にワイプブレード１４２ａを接触させた状態で、図４を参照して説明した記録ヘッド３の長手方向に沿ってワイプブレード１４２ａを移動させる。この結果、ノズル面３１がワイプブレード１４２ａによって払拭されて、ノズル面３１が清掃される。具体的には、ノズル面３１に付着していたインクが、ワイプブレード１４２ａによって拭き取られる。
【００８０】
以上、図１〜図１３を参照して本発明の実施形態について説明した。但し、本発明は、上記の実施形態に限られるものではなく、その要旨を逸脱しない範囲で種々の態様において実施できる。また、上記の実施形態に開示される構成要素は適宜改変可能である。図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能である。
【００８１】
例えば、本発明の実施形態において、第１ヘッドアッセンブリ１１〜第４ヘッドアッセンブリ１４に対して角度調整機構９を設ける構成を説明したが、本発明はこの構成に限定されない。例えば、インクジェット記録装置１００は、第１ヘッドアッセンブリ１１に対して角度調整機構９が設けられていない構成であってもよい。
【００８２】
また、本発明の実施形態において、インクジェット記録装置１００は、４つのヘッドアッセンブリ１を備えたが、インクジェット記録装置１００は、１つ、２つ、又は３つのヘッドアッセンブリ１を備えてもよいし、５つ以上のヘッドアッセンブリ１を備えてもよい。
【００８３】
また、本発明の実施形態において、ヘッドアッセンブリ１は、３つの記録ヘッド３を有したが、ヘッドアッセンブリ１は、１つ、又は２つの記録ヘッド３を有してもよいし、４つ以上の記録ヘッド３を有してもよい。
【００８４】
また、本発明の実施形態において、連結機構９２は、操作部材９２１と、アイドルギア９２２とを有したが、連結機構９２は、操作部材９２１のみを有してもよい。すなわち、連結機構９２は、操作部材９２１（ギア部９２１ｂ）の歯部と押当部材９３（ギア部９３ａ）の歯部とが噛み合う構成であってもよい。あるいは、連結機構９２は、複数のアイドルギア９２２を有してもよい。
【産業上の利用可能性】
【００８５】
本発明は、インクジェット方式で記録媒体に画像を記録する装置の分野に有用である。
【符号の説明】
【００８６】
１        ヘッドアッセンブリ
１ａ      第１端部
１ｂ      第２端部
２        ベース部材
３        記録ヘッド
４        連結部材
５        設置部
７        規制部
８        位置決め部材
９        角度調整機構
３１      ノズル面
４１      挿入穴
７１      当接部材
７２      付勢部材
７４      ガイド面
１００    インクジェット記録装置
Ｐ１      第１位置
Ｐ２      第２位置
【図１】
2020121514.tif 000003
【図２】
2020121514.tif 000004
【図３】
2020121514.tif 000005
【図４】
2020121514.tif 000006
【図５】
2020121514.tif 000007
【図６】
2020121514.tif 000008
【図７】
2020121514.tif 000009
【図８】
2020121514.tif 000010
【図９】
2020121514.tif 000011
【図１０】
2020121514.tif 000012
【図１１】
2020121514.tif 000013
【図１２】
2020121514.tif 000014
【図１３】
2020121514.tif 000015